(57)【要約】【課題】従来のホログラム形成層を有するリライトカードには、リライト層がホログラム形成層の上部表面に形成されているために、目視情報が印字された状態でホログラムによる図柄や文字が鮮明に視認できないという課題があった。【解決手段】薄板状の基材の片側全面に、基材側から目視情報リライト層，光回折構造層，透明反射層，保護層が順次形成され、残る片側全面に磁気記録層が形成された目視情報リライトカード、および、基材と目視情報リライト層の間に、さらに、反射層が形成された目視情報リライトカードを提供する。【選択図】  図１
2010046842.tif 000002
【特許請求の範囲】
【請求項１】
薄板状の基材の片側全面に、基材側から目視情報リライト層，光回折構造層，透明反射層，保護層が順次形成され、残る片側全面に磁気記録層が形成されたことを特徴とする目視情報リライトカード。
【請求項２】
請求項１に記載の目視情報リライトカードにおいて、
基材と目視情報リライト層の間に、さらに、反射層が形成されたことを特徴とする目視情報リライトカード。
【発明の詳細な説明】
【技術分野】
【０００１】
本発明は、目視情報リライトカードに関し、詳しくは意匠性に優れ、偽造が困難で磁気記録可能な目視情報リライトカードに関する。
【背景技術】
【０００２】
目視情報リライトカードは、サーマルヘッドなどによって情報の消去，書き込みが容易に行なえるために、各種分野で利用されている。
目視情報リライトカードは、カードの表面に印刷が施されていることが多く、サーマルヘッドの表面に印刷インキが付着して記載された印字情報が不鮮明になるという課題があった。
そんな中、基材の片面にホログラム層，反射層，透明接着層，透明リライト層が順次形成されたリライトカードが提供されている（例えば、特許文献１参照）。
【０００３】
【特許文献１】特開２００７−６９３６５号公報
【発明の開示】
【発明が解決しようとする課題】
【０００４】
特許文献１に記載されているリライトカードは、リライト層がホログラム形成層の上部表面に形成されているために、目視情報が印字された状態でホログラムによる図柄や文字が鮮明に視認できないという課題があった。
【課題を解決するための手段】
【０００５】
前記課題を解決するために、本発明の目視情報リライトカードの第一の態様は、薄板状の基材の片側全面に、基材側から目視情報リライト層，光回折構造層，透明反射層，保護層が順次形成され、残る片側全面に磁気記録層が形成されたことを特徴とするものである。
【０００６】
また、第二の態様は、第一の態様において、基材と目視情報リライト層の間に、さらに、反射層が形成されたことを特徴とするものである。
【発明の効果】
【０００７】
１）本発明の目視情報リライトカードの第一の態様のように、薄板状の基材の片側全面に、基材側から目視情報リライト層（以下、単にリライト層ともいう），光回折構造層，透明反射層，保護層が順次形成され、残る片側全面に磁気記録層が形成されたことにより、磁気記録の内容のほかに目視情報を表示することができ、さらに、光回折構造層が目視情報リライト層の上に形成されていることにより目視情報の印字で光回折構造の図柄が分断されたり文字が不鮮明になるという問題が発生しない。一方、量産技術が難しい光回折構造層を設けることにより、カードのセキュリティ性を高めることができる。
２）また、第二の態様のように、第一の態様において、基材と目視情報リライト層の間に、さらに、反射層が形成されたことによって、リライト層に印字された目視情報をより鮮明に視認することができる。
【発明を実施するための最良の形態】
【０００８】
以下、図面を参照して、本発明の目視情報リライトカードについて説明する。
図１は、本発明の目視情報リライトカードの一例について説明するための図，図２は、本発明の目視情報リライトカードを正面から見た一例について説明するための図，図３は、本発明の目視情報リライトカードの他の一例について説明するための図，である。
【０００９】
図１，図２を参照して、本実施の形態の目視情報リライトカードの一例について説明する。
図１は、図２のＡ−Ａ線断面を示す図であるが、図１に示すように薄板状の基材１０の片側全面に、基材１０側から目視情報リライト層１１，光回折構造層１２，透明反射層１３，保護層１４が順次形成されている。また、残る片側全面に磁気記録層１５が形成されている。図２に示すように、目視情報リライトカードの保護層１４の側から見た場合に、光回折構造層１２に形成された「自由の女神」の図柄及び「Ｍｅｍｂｅｒ  Ｃａｒｄ」の文字，目視情報リライト層１１に印字された文字情報「２０００Ｐｏｉｎｔ」が明確に目視される。
光回折構造層１２に形成された「自由の女神」の図柄及び「Ｍｅｍｂｅｒ  Ｃａｒｄ」の文字は、無彩色またはフルカラーで表示される。
【００１０】
基材１０の片側全面に、基材１０側から光回折構造層１２，透明反射層１３，目視情報リライト層１１，保護層１４の順に形成することもできるが、基材の片面に「磁気記録層１５とその逆面に目視情報リライト層１１が形成されただけのカードに注文が有り次第、図柄を印刷する」ニーズが圧倒的に多いために、多くの場合、基材の片面に磁気記録層１５を，逆面に目視情報リライト層１１を形成したロール原反を作製し在庫している。
磁気記録層１５と目視情報リライト層１１の形成は広幅（５０ｃｍ〜１ｍ）のコーターを使用することが多く、光回折構造層１２の形成はその１／２〜１／４程度の幅の装置を使用することが多い。
上記二つの理由により、目視情報リライトカードは、薄板状の基材１０の片側全面に磁気記録層１５を形成し、その逆面に基材１０側から目視情報リライト層１１，光回折構造層１２を形成した方が、カードを効率よく、かつ、安価に製造する上で都合がよいのである。
【００１１】
（材料）
以下に、図１，図３を一部参照して、目視情報リライトカードに使用される材料の一例について説明する。
【００１２】
磁気記録層１５に使用される材料について説明する。
高保磁力磁性材料として、例えば、Ｓｒフェライト，Ｂａフェライト，Ｎｄ−Ｆｅ−Ｂ−Ｍｎ，Ｎｄ−Ｆｅ−Ｂ−Ｍｎ−Ａｌ，Ｎｄ−Ｆｅ−Ｂ−Ｍｎ−Ｃｒ，Ｎｄ−Ｆｅ−Ｂ−Ｍｎ−ＡＩ−Ｃｒ等のＮｄ−Ｆｅ−Ｂ系合金類等の磁性微粒子が使用される。
前記磁性微粒子を適当な樹脂中に分散させた分散物を、グラビアコート，ロールコート，ナイフエッジコート等の公知の方法によって塗布することにより、磁気記録層を形成することができる。
一方、低保磁力磁性材料として、例えば、γ−Ｆｅ2Ｏ3，Ｃｏ被着γ−Ｆｅ2Ｏ3，Ｆｅ3Ｏ4，Ｆｅ，Ｆｅ−Ｃｒ，Ｆｅ−Ｃｏ，Ｃｏ−Ｃｒ，Ｃｏ−Ｎｉ，Ｂａフェライト，Ｓｒフェライト等の磁性微粒子が使用される。
前記磁性微粒子を適当な樹脂中に分散させた分散物を、グラビアコート，ロールコート，ナイフエッジコート等の公知の方法によって塗布することにより、磁気記録層を形成することができる。
また、Ｆｅ，Ｆｅ−Ｃｒ，Ｆｅ−Ｃｏ，Ｃｏ−Ｃｒ等の金属または合金、あるいはその酸化物を用いて、真空蒸着，スパッタ，メッキ等の方法によって形成することもできる。
前述の磁性材料を樹脂に分散させて、塗布装置によって形成される磁気記録層１５の厚さは、乾燥状態で５〜３０μｍ程度が適当とされている。
また、真空蒸着法、スパッタ法、メッキ法等により形成される場合には５０〜２００ｎｍ程度が適当とされている。
【００１３】
基材１０としては、ポリ塩化ビニル，ポリビニルアルコール，ポリエチレンテレフタレート，ポリアリレート，ポリカーボネート，ポリアミド，ポリイミド，セルロースジアセテート，セルローストリアセテート，ポリスチレン系，アクリル，ポリプロピレン，ポリエチレン，もしくはポリオレフィンビニルアルコールなどから選択して使用することができる。厚さは、カード読取装置によって決定され、５０〜５００μｍの厚さのものから選択して使用する。
【００１４】
目視情報リライト層１１に使用される材料（以下、感熱記録表示材ともいう）について説明する。例えば、樹脂母材及び有機低分子物質の２成分を溶解した溶液又は、樹脂母材の溶液に有機低分子物質を微粒子状に分散した分散液を前述の基材上に塗布し、乾燥，硬化させて形成する。
また、感熱記録表示材料作製溶剤として、樹脂母材及び有機低分子物質の種類によって種々選択するが、例えば、テトラヒドロフラン，メチルエチルケトン，メチルイソブチルケトンなどから選択して使用する。
有機低分子物質としては、記録層中で熱により多結晶から単結晶に変化するものであればよい。また、一般に、融点５０〜１５０℃程度のものから選択して使用される。
また、有機低分子物質には、印字特性を向上させるために界面活性剤、高沸点溶剤などの添加物が添加される。
形成される感熱記録表示材層の厚みは、乾燥状態で５〜２０μｍ程度が好ましい。
【００１５】
ここで、リライト材料の透明，白濁のメカニズムについて説明する。
樹脂母材と、この樹脂母材中に分散された有機低分子物質とを主成分とする感熱白濁層は、例えば、常温（Ｔ０）以下では不透明な白濁状態にある。この状態からある温度（Ｔ１）まで加熱すると透明の状態になる。
そして、この状態で加熱をやめＴ０以下の常温に戻すと透明のままの状態を維持する。これは温度Ｔ１からＴ０以下に至る過程で有機低分子物質が半溶融状態を経て多結晶から単結晶へと結晶が成長するためと考えられている。
加熱を続けて、Ｔ１の状態からＴ２以上に加熱すると、透明と白濁との中間の半透明状態になる。
この状態で、温度を下げてゆくと、透明状態を維持することなく白濁状態に戻る。
これは温度Ｔ２以上で有機低分子物質が溶融後、冷却されることにより多結晶が析出するためであると考えられる。
また、前述のＴ０で透明になったものも、再びＴ２以上の温度に加熱した後常温に戻せば、再び白濁不透明状態に戻る。
即ち、常温では、白濁及び透明の両形態並びにその中間状態とすることができる。
従って、感熱ヘッドやレーザーを使用し、選択的に熱を加えることにより、リライト層の透明部分に白濁部分を形成したり、白濁部分を透明部分に戻すことができ、さらに、これを繰り返すことができる。
【００１６】
光回折構造層１２に使用される材料として、例えば、特開平６−７５５１５号公報「混成型ホログラム」，特開平６−３１４０５７号公報「透明型ホログラム」などに記載されている材料から選択し、記載された条件で使用する。
光回折構造の代表的なものがホログラムである。
ホログラムには、レリーフホログラム，リップマンホログラム，フレネルホログラム，レンズレスフーリエ変換ホログラム，レーザー再生ホログラム（イメージホログラムなど），白色光再生ホログラム（レインボーホログラムなど），カラーホログラム，コンピュータホログラム，マルチプレックスホログラム，ホログラフィックステレオグラム，ホログラフィック回折格子などがある。また、ホログラムは、機械的な切削によっても、電子線もしくはレーザー光によっても形成することができる。
光回折構造層１２を形成する樹脂としては、ポリ塩化ビニル，アクリル樹脂（例えば、ＰＭＭＡ），ポリスチレン，ポリカーボネートなどの熱可塑性樹脂，不飽和ポリエステル，メラミン，エポキシ，ポリエステル（メタ）アクリレート，ウレタン（メタ）アクリレート，エポキシ（メタ）アクリレート，ポリエーテル（メタ）アクリレート，ポリオール（メタ）アクリレート，メラミン（メタ）アクリレート，トリアジン系アクリレートなどの熱硬化性樹脂をそれぞれ単独、または、上記熱可塑性樹脂と熱硬化性樹脂とを混合して使用することができ、更には、ラジカル重合性不飽和基を有する熱成形性物質、または、これらにラジカル重合性不飽和単量体を加え電離放射線硬化性としたものなどを使用することができる。
上述以外に、銀塩，重クロム酸ゼラチン，サーモプラスチック，ジアゾ系感光材料，フォトレジスト，強誘電体，フォトクロミックス材料，サーモクロミックス材料，カルコゲンガラスなどの感光材料なども使用できる。
【００１７】
前述の光回折構造層形成樹脂へのホログラムの形成は、既知の方法によって形成することができる。
例えば、ホログラムの干渉縞をレリーフとして形成する場合は、干渉縞が凹凸の形で記録された原版をプレス型として用い、上述の樹脂層上に前記原版を加熱ロールなどで圧着し、冷却することにより、原版の凹凸模様を複製することができる。
また、フォトポリマーで形成する場合は、前記積層シートの保護層上に、フォトポリマーを塗布した後、レーザー光を照射することにより複製する。
光回折構造層１２の厚さは、０．５〜６μｍの範囲が好ましい。
【００１８】
透明反射層１３に使用される材料について説明する。
光回折構造層１２より屈折率が大きい透明反射層１３には、ＺｎＳ，ＴｉＯ2，Ａｌ2Ｏ3，Ｓｂ2Ｓ3，ＳｉＯ，ＴｉＯ，ＳｉＯ2などが挙げられる。
光回折構造層１２より屈折率が小さい透明反射層１３には、ＬｉＦ，ＭｇＦ2 ，ＡｌＦ3などが使用される。また、厚さが２０ｎｍ以下の場合には、光の透過率が比較的小さいため、透明でありながら反射層として使用することができる。更に、光回折構造層１２とは屈折率の異なる透明な合成樹脂、例えば、ポリテトラフルオロエチレン，ポリクロロトリフルオロエチレン，ポリ酢酸ビニル，ポリエチレン，ポリプロピレン，ポリメチルメタクリレートなども使用することもできる。
【００１９】
保護層１４に使用される材料として、例えば、シリコーン系ゴム，シリコーン樹脂，ポリシロキサングラフトポリマー，紫外線硬化樹脂，電子線硬化樹脂などから選択して使用する。保護層の厚さは２〜２０μｍが好ましい。薄すぎると、保護効果が低下し、厚すぎると熱感度が低下する。
【００２０】
目視情報リライト層１１の表面に重ねて塗布される、光回折構造層１２，透明反射層１３，保護層１５の総厚は、厚すぎると目視情報の印字の精細度に影響を与える。
即ち、目視情報リライト層への印字はサーマルヘッドによって記録／消去を行うために、厚すぎるとスペースロスによってリライト層まで熱が伝わらない。従って、印字の精細度によってその総厚を決定しなければならない。
【００２１】
図３の反射層１６に使用される金属薄膜としては、Ｍｇ，Ａｌ，Ｔｉ，Ｃｒ，Ｆｅ，Ｃｏ，Ｎｉ，Ｃｕ，Ｐｄ，Ａｇ，Ａｕ，Ｚｎ，Ｇａ，Ｃｄ，Ｉｎ，Ｓｎ，Ｐｂ，Ｂｉ，Ｇｅ，Ｔｅ等の金属，酸化物，窒化物もしくは、これらの金属の組み合わせからなる合金を使用して形成する。
反射層１６の形成は、真空蒸着法，スパッタリング法，イオンプレーティング法などの薄膜形成法によって行なう。反射層１６の厚みとしては５ｎｍ〜１００ｎｍ程度が好ましい。
反射層１６を設けることによって、基材１０が透明な場合は基材１０の裏側に塗布された磁気記録層１５の磁性材料の黒色又は濃い茶色を遮り、基材１０が乳白色の場合は、基材１０の白色を遮ると同時に、印字部分の白濁部分と周囲とのコントラストを高める役割を果たす。
【産業上の利用可能性】
【００２２】
会員カード、ポイントカードなどに利用できる。
【図面の簡単な説明】
【００２３】
【図１】本発明の目視情報リライトカードについて説明するための図である。
【図２】図１のＡ−Ａ線断面について説明するための図である。
【図３】目視情報リライト層の裏側に反射層が形成された目視情報リライトカードの一例について説明するための図である。
【符号の説明】
【００２４】
１      目視情報リライトカード
１０    基材
１１    目視情報リライト層
１２    光回折構造層
１３    透明反射層
１４    磁気記録層
１５    保護層
１６    反射層
【図１】
2010046842.tif 000003
【図２】
2010046842.tif 000004
【図３】
2010046842.tif 000005